(57)【要約】【課題】  タッチパネルと表示装置との貼り付きを抑えることによって、高い視認性と表示品位とを実現するタッチパネル付き表示装置を提供する。【解決手段】  液晶表示装置３０と、フレーム４によって上記液晶表示装置３０との間に空間をもって配置されるタッチパネル２０とを有し、上記液晶表示装置３０と上記タッチパネル２０との間に複数のガラスビーズ５を備える。【選択図】  図１
2007034736.tif 000002
【特許請求の範囲】
【請求項１】
表示装置と、
支持部によって上記表示装置との間に空間をもって配置されるタッチパネルとを有し、
上記表示装置と上記タッチパネルとの間の空間には、上記タッチパネルの操作時に、上記表示装置と上記タッチパネルとの間隔を保持するスペーサが設けられていることを特徴とするタッチパネル付き表示装置。
【請求項２】
前記スペーサは、前記タッチパネルと前記表示装置とのいずれか一方に非接触に設けられていることを特徴とする請求項１記載のタッチパネル付き表示装置。
【請求項３】
前記スペーサは、前記タッチパネルの操作時に、該タッチパネルが前記表示装置方向へ歪んだ時に、上記タッチパネルの裏面又は上記表示装置の最上層の面との間に貼り付きを生じさせない接触面積を有するように形成されていることを特徴とする請求項１又は２記載のタッチパネル付き表示装置。
【請求項４】
前記スペーサは、複数個からなることを特徴とする請求項１、２又は３記載のタッチパネル付き表示装置。
【請求項５】
前記スペーサは、均一に配置されていることを特徴とする、請求項４記載のタッチパネル付き表示装置。
【請求項６】
前記スペーサは、前記タッチパネルの操作時に、該タッチパネルが前記表示装置方向へ歪んだ時に、上記タッチパネルの裏面と上記表示装置の最上層の面とが面接触しないように均一に配置されていることを特徴とする請求項５記載のタッチパネル付き表示装置。
【請求項７】
前記スペーサは、ガラス、シリカまたはプラスチック製ビーズからなることを特徴とする請求項４記載のタッチパネル付き表示装置。
【請求項８】
前記スペーサは、フォトスペーサからなることを特徴とする請求項１〜６のいずれか１項に記載のタッチパネル付き表示装置。
【請求項９】
前記フォトスペーサは、複数の柱状または筒状にてなっていることを特徴とする請求項８記載のタッチパネル付き表示装置。
【請求項１０】
前記フォトスペーサは、縞状又は格子状に形成されていることを特徴とする請求項８記載のタッチパネル付き表示装置。
【請求項１１】
前記縞状又は格子状のフォトスペーサ内に複数のガラス、シリカまたはプラスチック製ビーズが配されていることを特徴とする請求項９記載のタッチパネル付き表示装置。
【発明の詳細な説明】
【技術分野】
【０００１】
本発明は、タッチパネル付き表示装置に関するものである。より詳しくは、表示装置の表示品位を低下させることなく、タッチパネルと表示装置との貼り付きを防ぐタッチパネル付き表示装置に関するものである。
【背景技術】
【０００２】
従来、指または専用のペン（タッチペン）で画面に触れることによってコンピュータの操作を行う装置であるタッチパネルが、ＰＤＡ（Personal Digital Assistance）や銀行のＡＴＭ（Adobe Type Manager）、駅の券売機からパソコン、テレビ、および携帯ゲーム機にいたるまで広く用いられている。
【０００３】
タッチパネルは、指またはタッチペンでその表面を触れることによって、その触れた位置を検出し、触れた位置に応じた信号を出力する。そして、タッチパネルに接続されたコントローラによって、その触れた位置を検出する入力装置である。そのため、ディスプレイ画面を指で触ったり、タッチペンで押圧するだけで入力を行うことができる。
【０００４】
また、タッチパネルでの画面の接触の感知には静電容量方式（静電式）や、抵抗膜方式（感圧式）、さらには赤外線感知式（光学式）の３通りが用いられている。詳しくは、感圧式では圧力の変化を感知し、静電式では静電気による電気信号を感知し、光学式では主に赤外線の遮断を感知すことによって画面への接触を感知している。このように、タッチパネルでの画面の接触の感知には色々な種類があるが、どの方式のタッチパネルも基本的には表示装置上に搭載されている。
【０００５】
一般に、感圧式のタッチパネルでは、ディスプレイ側にＩＴＯ（Indium Tin Oxide）等の透明電極を設けたガラス板が対向配置されている一方、タッチパネル側には同様に薄膜透明電極を設けたフレキシブルな透明樹脂フィルム（例えば、ポリエチレンテレフタレートフィルム）を用いて、上記電極面同士が絶縁スペーサを介して対向配置されている。ここで、一般的に表示装置の裏側にあたるタッチパネルの裏面は、ガラスやプラスチックで構成される。そのため、タッチパネルの裏面はガラスやプラスチックといった材質上の問題から、滑面である場合がほとんどである。
【０００６】
通常、上記タッチパネルは、液晶ディスプレイやＣＲＴ（Cathode Ray Tube）ディスプレイ等といった表示装置と組み合わされて使用されている。そして、タッチパネルを搭載する液晶ディスプレイの液晶モジュールでは、最上層に偏光版が配置されることが多い。また、ＣＲＴディスプレイのＣＲＴでは、表面がガラスである場合が多く、偏光版とＣＲＴとのどちらの表面も滑面である場合が多い。
【０００７】
一般的に、タッチパネル付きの表示装置では、タッチパネルが直接液晶ディスプレイ表面に接触した場合、応力が液晶ディスプレイに加わるために液晶層の厚みが変化する。そして、液晶層の厚みの変化に伴って表示品位が変化する。つまり、具体的には色身が変化する現象が発生することから、この色身の変化を避けるためにタッチパネルを表示装置上に空間をもって登載している。
【０００８】
最近では、タッチパネルの用途拡大と共に、品質、性能面における要求も厳しくなり、特に透明性、視認性の一層の改良が求められている。
【０００９】
例えば、特許文献１ではタッチパネル中の対向している電極面を粗面にすることによって、入力動作時に発生するニュートンリングを抑えるタッチパネルが開示されている。特許文献１のタッチパネルでは、対向している電極面が粗面であるために、電極面同士が入力動作時に接触しても密着はしない。そのため、滑面同士が一部密着することによって生じるニュートンリングを抑えることができ、タッチパネルの視認性を高めている。
【特許文献１】特開平１１−２５０７６４号公報（平成１１年９月１７日公開）
【発明の開示】
【発明が解決しようとする課題】
【００１０】
しかしながら、上記従来のタッチパネル付き表示装置では、指やタッチペンでタッチパネルを押すと、タッチパネルの表面に応力がかかるためタッチパネルが歪み、タッチパネルの裏面と表示装置の最上層の面とが表面自由エネルギー（固体の表面張力）によって貼
り付いてしまう。そして、タッチパネルの裏面と表示装置の最上層の面とが貼り付いてしまうと、屈折率等の問題で文字や絵などが２重に見えたり、歪んで見えたりするという問題が生じる。また、外観的にタッチパネルが凹んで見栄えが悪くなってしまうといった問題も生じる。
【００１１】
上記の問題を解決する方法としては、例えば、偏光板の表面を粗面に加工する方法が考えられる。しかしながら、偏光版の表面を粗面に加工する方法では、偏光板の表面において光が乱反射してしまう。そして、文字や絵などといった表示画像がにじんで見えたり、コントラストが低下して見にくくなるなど表示装置の表示品位が低下してしまうという問題が生じる。
【００１２】
本発明は、上記従来の問題点に鑑みなされたものであって、その目的はタッチパネルと表示装置との貼り付きを抑えることによって、高い視認性と表示品位とを実現するタッチパネル付き表示装置を提供することにある。
【課題を解決するための手段】
【００１３】
本発明のタッチパネル付き表示装置は、上記課題を解決するために、表示装置と、支持部によって上記表示装置との間に空間をもって配置されるタッチパネルとを有し、上記表示装置と上記タッチパネルとの間の空間には、上記タッチパネルの操作時に、上記表示装置と上記タッチパネルとの間隔を保持するスペーサが設けられていることを特徴としている。
【００１４】
上記の発明によれば、タッチパネルの操作時にタッチパネルが表示装置方向に歪んだ時に、タッチパネルの歪んだ部分の面は、スペーサによって表示装置の最上層にある面への接触を妨げられる。ところが、スペーサがない場合は、タッチパネルの歪んだ面が表示装置の最上層の面に面接触するために強い表面自由エネルギーが生じる。そして、強い表面自由エネルギーのために接触面同士が貼り付いてしまう。しかし、スペーサがある場合には、タッチパネルの歪んだ面および表示装置の最上層にある面が互いに接触したとしても面接触でなく点接触にとどまる。そのため、タッチパネルの歪んだ面又は表示装置の最上層にある面とスペーサとの間には強い表面自由エネルギーが発生しない。そして、タッチパネルの裏面と表示装置の最上層の面とが張り付くことがないため、タッチパネルの表面が歪まず見栄えが悪くならない。また、タッチパネルの表面が歪まないために、タッチパネルの表面の歪みによる光の屈折が起こらない。そのため、表示装置に表示される文字や絵が本来の光の屈折率に従ってタッチパネルを通して視認される。よって、表示される文字や絵の視認性が低下することがない。その結果、タッチパネル付き表示装置の高い視認性と表示品位とを実現することができる。
【００１５】
また、本発明のタッチパネル付き表示装置では、前記スペーサは、前記タッチパネルと前記表示装置とのいずれか一方に非接触に設けられていることが好ましい。
【００１６】
これにより、タッチパネル又は表示装置への接触によってニュートンリングが形成されるようなスペーサをタッチパネルと表示装置の間に配置した場合でも、非操作時にはタッチパネル又は表示装置にスペーサが接触しない。つまり、タッチパネルの非操作時には、タッチパネル又は上記表示装置にスペーサが接触することによって生じるニュートンリングが形成されない。また、タッチパネルの操作時でも、タッチパネル又は表示装置とスペーサとの接触は点接触にとどまるため、強い表面自由エネルギーが生じない。よって、タッチパネル又は表示装置とスペーサとがすぐに離れる。つまり、タッチパネル又は表示装置とスペーサとの接触によって生じるニュートンリングも一瞬で消える。よって、スペーサがタッチパネルと表示装置との両方に接触している場合に比較して、ニュートンリングの影響を受けにくい。その結果、タッチパネル付き表示装置の視認性が高く維持される。
【００１７】
また、本発明のタッチパネル付き表示装置では、前記スペーサは、前記タッチパネルの操作時に、該タッチパネルが前記表示装置方向へ歪んだ時に、上記タッチパネルの裏面又は上記表示装置の最上層の面との間に貼り付きを生じさせない接触面積を有するように形成されていることが好ましい。
【００１８】
これにより、スペーサが上記タッチパネルの裏面又は上記表示装置の最上層の面との間に貼り付きが生じないのに十分なだけの接触面積しか有していないことから、タッチパネルの歪んだ部分の面とスペーサとの貼り付きを防ぐことができる。そして、タッチパネルの裏面と表示装置の最上層の面とが張り付くことがないため、タッチパネルの表面が歪まず見栄えが悪くならない。また、タッチパネルの表面が歪まないために、タッチパネルの表面の歪みによる光の屈折が起こらない。そのため、表示装置に表示される文字や絵が本来の光の屈折率に従ってタッチパネルを通して視認される。よって、表示される文字や絵の視認性が低下することがない。その結果、タッチパネル付き表示装置のより高い視認性と表示品位とを実現することができる。
【００１９】
また、本発明のタッチパネル付き表示装置では、前記スペーサは、複数個からなることが好ましい。
【００２０】
これにより、スペーサが複数個あることからスペーサをタッチパネルと表示装置との間の空間の広範にわたって配置することができるようになる。よって、タッチパネル上のどの部分で操作が行われる場合でも、スペーサが広範にわたって配置されていることから、タッチパネルのどの部分でタッチパネルが表示装置方向に歪んでも、タッチパネルの歪んだ面がスペーサに接触できる可能性が高くなる。つまり、タッチパネル下部のどの部分でもスペーサとタッチパネルの歪んだ面とが接触できることから、タッチパネルの下部の広範にわたってタッチパネルの裏面と表示装置の最上層の面との貼り付きを抑えることができる。よって、タッチパネルの広範にわたって、タッチパネルの表面が歪まず見栄えが悪くならない。また、タッチパネルの表面が歪まないために、タッチパネルの表面の歪みによる光の屈折が起こらない。そのため、表示装置に表示される文字や絵が本来の光の屈折率に従ってタッチパネルを通して視認される。よって、タッチパネルの広範にわたって、表示される文字や絵の視認性の低下を防ぐことができる。その結果、タッチパネルの広範にわたって高い視認性と表示品位とを実現することができる。
【００２１】
また、本発明のタッチパネル付き表示装置では、前記スペーサは、均一に配置されていることが好ましい。
【００２２】
これにより、表示装置によって表示される文字や絵がフォトスペーサによる光の屈折の影響をタッチパネル上で均一に受ける。このため、タッチパネル上に一律にずれた文字や絵が視認される。この時、文字や絵が一律にずれているために表示にむらがなく視認性には変化がない。
【００２３】
さらに、本発明によればタッチパネル上のどの部分で操作が行われる場合でも、スペーサが均一に配置されていることから、タッチパネルのどの部分でタッチパネルが表示装置方向に歪んでも、歪んだ面がスペーサに均一の確率で接触できる。つまり、スペーサの配置にむらがある場合に生じる、スペーサと接触しない確率を低く抑えることができる。このように、タッチパネルの下部のどの部分でも均一にスペーサとタッチパネルの歪んだ面とが接触できることから、タッチパネルの下部の全域で均一にタッチパネルの裏面と表示装置の最上層の面との貼り付きを抑えることができる。よって、タッチパネルの全域で、均一にタッチパネルの表面が歪まず見栄えが悪くならない。また、タッチパネルの表面が歪まないために、タッチパネルの表面の歪みによる光の屈折が起こらない。そのため、表示装置に表示される文字や絵が本来の光の屈折率に従ってタッチパネルを通して視認される。よって、タッチパネルの全域で均一に、表示される文字や絵の視認性の低下を抑えることができる。その結果、タッチパネルの全域で均一に、表示品位と視認性との低下を防ぐことができる。
【００２４】
また、本発明のタッチパネル付き表示装置では、前記スペーサは、前記タッチパネルの操作時に、該タッチパネルが前記表示装置方向へ歪んだ時に、上記タッチパネルの裏面と上記表示装置の最上層の面とが面接触しないように均一に配置されていることが好ましい。
【００２５】
これにより、操作時にタッチパネルのどの部分が表示装置方向に歪んだ場合でも、上記タッチパネルの裏面と上記表示装置の最上層の面とが面接触することがなくなる。そのため、上記タッチパネルの裏面と上記表示装置の最上層の面との間に強い表面自由エネルギーが発生することがない。よって上記タッチパネルの裏面と上記表示装置の最上層の面とが貼り付くことがない。つまり、上記タッチパネルの表面が歪むことがない。また、タッチパネルの表面が歪まないために、タッチパネルの表面の歪みによる光の屈折が起こらない。そのため、表示装置に表示される文字や絵が本来の光の屈折率に従ってタッチパネルを通して視認される。よって、表示される文字や絵の視認性が低下することがない。その結果、タッチパネル付き表示装置の高い視認性と表示品位とを実現することができる。
【００２６】
また、本発明のタッチパネル付き表示装置では、前記スペーサは、ガラス、シリカまたはプラスチック製ビーズからなることが好ましい。
【００２７】
これにより、ガラス、シリカまたはプラスチック製ビーズはタッチパネルの操作時にかかる垂直応力に耐えられるだけの耐久性を備えていることから、安定してタッチパネルの裏面と表示装置の最上層の面との接触を防ぎ続けることができる。よって、安定してタッチパネルの表面の歪みを防ぎ続けることができる。また、タッチパネルの表面の歪みを防ぐために、タッチパネルの表面の歪みによる光の屈折が起こらない。そのため、表示装置に表示される文字や絵が本来の光の屈折率に従ってタッチパネルを通して視認される。よって、安定して表示される文字や絵の視認性の低下を防ぎ続けることができる。その結果、タッチパネル付き表示装置の高い視認性と表示品位とを安定して実現し続けることができる。
【００２８】
さらに、ガラス、シリカまたはプラスチック製ビーズは安価であることから、より少ない費用によって本発明のタッチパネル付き表示装置を製造することが可能になる。よって、より少ない費用によってタッチパネル付き表示装置の高い視認性と表示品位とを実現することができる。
【００２９】
また、本発明のタッチパネル付き表示装置では、前記スペーサは、フォトスペーサからなることが好ましい。
【００３０】
これにより、フォトスペーサの配置はフォトレジストのパターンに従って行われる。このため、任意に設定したフォトレジストのパターンによって自由にフォトスペーサの配置を行うことができる。ゆえに、フォトレジストのパターンを操作時にタッチパネルの裏面と表示装置の最上層の面とが面接触しないような均一の間隔に設定するだけで、フォトスペーサを上述の間隔に容易に配置することができる。前述の通り、スペーサが操作時にタッチパネルの裏面と表示装置の最上層の面とが面接触しないような均一の間隔に配置されることによって、タッチパネルの高い表示品位と視認性とを実現できる。その結果、フォトスペーサを用いることによって、高い表示品位と視認性とを容易に実現することができる。
【００３１】
また、本発明のタッチパネル付き表示装置では、前記フォトスペーサは、複数の柱状又は筒状にてなっていることが好ましい。
【００３２】
これにより、複数の柱状又は筒状にてなるフォトスペーサによってもタッチパネルと表示装置との面接触を防ぐことができる。そのため、タッチパネルの表面の歪みと、表示装置によって表示される文字や絵の視認性の低下とを防ぐことができる。その結果、タッチパネル付き表示装置の高い視認性と表示品位とを実現することができる。
【００３３】
また、本発明のタッチパネル付き表示装置では、前記フォトスペーサは、縞状又は格子状に形成されているが好ましい。
【００３４】
これにより、縞状又は格子状に形成されたフォトスペーサによってもタッチパネルと表示装置との面接触を防ぐことができる。そのため、タッチパネルの表面の歪みと、表示装置によって表示される文字や絵の視認性の低下とを防ぐことができる。その結果、タッチパネル付き表示装置の高い視認性と表示品位とを実現することができる。
【００３５】
また、本発明のタッチパネル付き表示装置では、前記縞状又は格子状のフォトスペーサ内に複数のガラス、シリカまたはプラスチック製ビーズが配されていることが好ましい。
【００３６】
これにより、ガラス、シリカまたはプラスチック製ビーズが接着等によってタッチパネル又は表示装置に固定されていない場合でも、上記縞状又は格子状のフォトスペーサ内にガラス、シリカまたはプラスチック製ビーズを配置することによって移動を制限できる。よって固定されていないガラス、シリカまたはプラスチック製ビーズをより均一に配置することが可能になる。そして、ガラス、シリカまたはプラスチック製ビーズがより均一に配置されることによって、タッチパネルの全域で均一にタッチパネルの表面の歪みを抑えることが可能になる。また、タッチパネルの全域で均一に、表示される文字や絵の視認性の低下を抑えることができる。その結果、タッチパネルの全域で均一に、表示品位と視認性との低下を防ぐことができる。
【発明の効果】
【００３７】
本発明のタッチパネル付き表示装置は、以上のように、表示装置と、支持部によって上記表示装置との間に空間をもって配置されるタッチパネルとを有し、上記表示装置と上記タッチパネルとの間隔を保持するスペーサが設けられているものである。
【００３８】
それゆえ、タッチパネルの操作時にタッチパネルが表示装置方向に歪んだ時に、タッチパネルの歪んだ面および表示装置の最上層にある面が互いに接触したとしても面接触でなく点接触にとどまる。そのため、タッチパネルの裏面と表示装置の最上層の面とが張り付くことがない。
【００３９】
したがって、タッチパネルと表示装置との貼り付きを抑えることによって、高い視認性と表示品位とを実現するタッチパネル付き表示装置を提供することができるという効果を奏する。
【発明を実施するための最良の形態】
【００４０】
〔実施の形態１〕
本発明の一実施形態について図１および図２に基づいて説明すれば、以下の通りである。
【００４１】
図１は、本実施の形態におけるタッチパネル付き表示装置１の概略的構成を示す断面図であり、図２は、図１におけるタッチパネル付き表示装置１の拡大断面図を示したものである。
【００４２】
図１を用いてタッチパネル付き表示装置１の概要を説明する。
【００４３】
本実施の形態におけるタッチパネル付き表示装置１では、図１に示すように、タッチパネル２０が、支持部としてのフレーム４によって表示装置としての液晶表示装置３０の上部に空間をもって搭載されている。そして、上記タッチパネル２０と上記液晶表示装置３０との間にスペーサとしてのガラスビーズ５が配置されている。
【００４４】
上記タッチパネル付き表示装置１のタッチパネル２０は、図２に示すように、タッチパネル側透明電極２１、絶縁スペーサ２２、および表示装置側電極２３を有している。
【００４５】
また、上記タッチパネル付き表示装置１の液晶表示装置３０は、図２に示すように、偏光板３１、粘着剤層３２、液晶セルの上部電極基板３３、液晶３４、および液晶セルの下部電極基板３５を有している。
【００４６】
ここで、タッチパネル２０は、従来法を用いて、タッチパネル側透明電極２１、絶縁スペーサ２２、および表示装置側電極２３の並び順になるように形成される。
【００４７】
また、液晶表示装置３０は、従来法を用いて、偏光板３１、粘着剤層３２、液晶セルの上部電極基板３３、液晶３４、および液晶セルの下部電極基板３５の並び順になるように形成される。
【００４８】
ここで、本実施の形態のタッチパネル付き表示装置１の特徴部分について説明する。
【００４９】
まず、タッチパネル２０の裏面または偏光板３１の上に、乾燥した窒素ガスや空気によってガラスビーズ５を撒布する。または、ガラスビーズ５をアルコール等の溶媒に分散させた液体によってスプレー散布することにより撒布する。
【００５０】
ここで、直径１ｍｍ以下のガラスビーズ５を密度が０．２個／ｍｍ２以上となるように撒布する。ただし、好ましくは、この密度は、０．５個／ｍｍ２以上であり、さらに好ましくは１．０個／ｍｍ２以上である。
【００５１】
そして最後に、ガラスビーズ５が撒布された液晶表示装置３０の偏光板３１の上部に、タッチパネル２０が実装される。ここで、タッチパネル２０はフレーム４に両面テープで接着されることによって、液晶表示装置３０に対して空間をもって配置される。
【００５２】
なお、本実施の形態においては、スペーサとしてガラスビーズ５を用いたが、必ずしもこれに限定されず、例えばシリカまたはプラスチック製ビーズを用いることも可能である。
【００５３】
また、本実施の形態においては、タッチパネル２０はフレーム４に両面テープで接着されることによって、液晶表示装置３０に対して空間をもって配置されているが、ガラスビーズ５によってタッチパネル２０と液晶表示装置３０とが空間をもって配置されることも可能である。
【００５４】
なお、本実施の形態においてはガラスビーズ５を液晶表示装置３０の偏光板３１の表面に撒布した後にタッチパネル２０を実装しているが、必ずしもこれに限定されず、例えば、ガラスビーズ５をタッチパネル２０裏面に撒布した後に、液晶表示装置３０に実装することも可能である。
〔実施の形態２〕
本発明の他の実施の形態について図３に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００５５】
図３（ａ）は本実施の形態におけるタッチパネル付き表示装置１１の概略的構成を示す断面図であり、図３（ｂ）は本実施の形態におけるタッチパネル付き表示装置１１の切断面Ｃでの斜視図である。本実施の形態のタッチパネル付き表示装置１１は、前記実施の形態１のタッチパネル付き表示装置１とは、ガラスビーズ５の代わりにフォトスペーサ１５を有する点が異なっている。
【００５６】
すなわち、本実施の形態におけるタッチパネル付き表示装置１では、図３（ａ）に示すように、タッチパネル２０、液晶表示装置３０、フレーム４等を備える点は実施の形態１のタッチパネル付き表示装置１と同じである。
【００５７】
上記構成を有するタッチパネル付き表示装置１１での、フォトスペーサ１５の配置について図３（ｂ）を用いて説明する。
【００５８】
実施の形態１において、液晶表示装置３０の最上層である偏光板３１の上にガラスビーズ５を撒布することによってスペーサとして用いたが、本実施の形態では図３（ｂ）に示すように液晶表示装置３０の最上層の上にフォトスペーサ１５を円柱状に形成することによってスペーサとして用いる。
【００５９】
具体的には、まず、液晶表示装置３０の最上層の表面に１．０ｍｍ以下の厚さでフォトレジストを塗布する。そして、フォトスペーサ１５の面積が、１絵素の面積以下で均一に形成されるようにフォトレジストのパターンを設定する。ただし、好ましくは、面積は１／３絵素の面積以下であり、さらに好ましくは絵素の１／９の面積以下である。
【００６０】
また、密度は１絵素以上に１個で均一に形成されるようにフォトレジストのパターンを設定する。ただし、好ましくは、２５絵素以上に１個であり、さらに好ましくは１００絵素以上に1個以上である。ここで、例えばカラー表示の場合はＲ、Ｇ、Ｂをまとめて１絵素とする。
【００６１】
次に、設定したパターンに対応するフォトマスクを用いて露光装置によってフォトレジストを露光する。または、直接描画を行うことのできる露光装置によって、設定したパターンにフォトレジストの露光を行う。次に、露光後のフォトレジストの現像を行うことによって、露光パターンに応じたフォトスペーサ１５を形成する。
【００６２】
そして最後に、フォトスペーサ１５が形成された液晶表示装置３０の最上層の上部に、タッチパネル２０が実装される。ここで、タッチパネル２０はフレーム４に両面テープで接着されることによって、液晶表示装置３０に対して空間をもって配置される。
【００６３】
また、本実施の形態においてはフォトスペーサ１５を円柱状に形成しているが、フォトスペーサ１５の形状は円柱に限られない。つまり、図４（ａ）及び図４（ｂ）に示すようにフォトスペーサ１５の平面パターンが縞状や格子状であっても良く、さらに、立方体、直方体、円柱以外の柱状、又は円筒状等のそれ以外の形状で配置されることも可能である。
【００６４】
なお、本実施の形態においてはフォトスペーサ１５を液晶表示装置３０の最上層の表面に形成した後にタッチパネルを実装しているが、必ずしもこれに限定されず、例えば、フォトスペーサ１５をタッチパネル裏面に形成した後に、液晶表示装置３０に実装することも可能である。
【００６５】
また、本実施の形態においては、タッチパネル２０はフレーム４と両面テープで接着されることによって、液晶表示装置３０と空間をもって配置されているが、フォトスペーサ１５によってタッチパネル２０と液晶表示装置３０が空間をもって配置されることも可能である。
〔実施の形態３〕
本発明の他の実施の形態について図５に基づいて説明すれば、以下の通りである。なお、本実施の形態において説明すること以外の構成は、前記実施の形態２と同じである。また、説明の便宜上、前記の実施の形態２の図面に示した部材と同一の機能を有する部材については、同一の符号を付し、その説明を省略する。
【００６６】
図５（ａ）（ｂ）は本実施の形態におけるタッチパネル付き表示装置１のＣ切断面での平面図を示したものである。本実施の形態のタッチパネル付き表示装置１１は、前記実施の形態２のタッチパネル付き表示装置１１とは、フォトスペーサ１５に加えてガラスビーズ５を有する点が異なっている。
【００６７】
すなわち、本実施の形態におけるタッチパネル付き表示装置１１では、タッチパネル２０、液晶表示装置３０、フレーム４等を備える点は実施の形態２のタッチパネル付き表示装置１１と同じである。
【００６８】
上記構成を有するタッチパネル付き表示装置１１での、ガラスビーズ５及びフォトスペーサ１５の配置について図５（ａ）（ｂ）を用いて説明する。
【００６９】
具体的には、図５（ａ）に示すように、平面パターンが縞状に形成されたフォトスペーサ１５の間のフォトスペーサ１５が形成されない領域にガラスビーズ５を撒布する。また、図５（ｂ）に示すように、平面パターンが格子状に形成されたフォトスペーサ１５の場合には、フォトスペーサ１５の格子の間のフォトスペーサ１５が形成されない領域にガラスビーズ５を撒布する。そして、ガラスビーズ５とフォトスペーサ１５とが配置された液晶表示装置３０の最上層の上部に、タッチパネル２０が実装される。ここで、タッチパネル２０はフレーム４に両面テープで接着されることによって、液晶表示装置３０に対して空間をもって配置される。
【００７０】
また、本実施の形態においては、スペーサとしてガラスビーズ５を用いたが、必ずしもこれに限定されず、例えばシリカまたはプラスチック製ビーズを用いることも可能である。
【００７１】
なお、本実施の形態においては平面パターンが縞状及び格子状のフォトスペーサ１５を用いているが、フォトスペーサ１５の形状は平面パターンが縞状及び格子状のものに限られず、それ以外の形状で配置されることも可能である。
【００７２】
また、本実施の形態においてはフォトスペーサ１５の間のフォトスペーサ１５が形成されない領域にガラスビーズを１個配置しても良いし、複数個配置しても良い。
【００７３】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７４】
以上のように、本発明のタッチパネル付き表示装置は、表示品位を低下させることなくタッチパネルと表示装置との貼り付きが抑えられており、指またはタッチペンでの押圧時の視認性を向上させることができる。したがって、本発明は、ＰＤＡ、銀行のＡＴＭ、駅の券売機、パソコン、テレビ、および携帯ゲーム機等のタッチパネルを搭載する表示装置を製造する産業分野に好適に用いることができる。
【図面の簡単な説明】
【００７５】
【図１】本発明におけるタッチパネル付き表示装置の実施の一形態を示す断面図である。
【図２】上記タッチパネル付き表示装置の拡大断面図である。
【図３】本発明におけるタッチパネル付き表示装置の他の実施の形態を示すものであり、（ａ）は断面図、（ｂ）は（ａ）の切断面Ｃよりも下側を示す斜視図である。
【図４】（ａ）は上記タッチパネル付き表示装置の変形例であって、フォトスペーサが縞状に形成されたタッチパネル付き表示装置を示す図３（ａ）の切断面Ｃでの平面図であり、（ｂ）は、上記本発明におけるタッチパネル付き表示装置の他の変形例であって、フォトスペーサが格子状に形成されたタッチパネル付き表示装置を示す図３（ａ）の切断面Ｃでの平面図である。
【図５】（ａ）は上記タッチパネル付き表示装置のさらに他の変形例であって、フォトスペーサが縞状に形成された内側にガラスビーズが配置されたタッチパネル付き表示装置を示す図３（ａ）の切断面Ｃでの平面図であり、（ｂ）は上記発明におけるタッチパネル付き表示装置のさらに他の変形例であって、フォトスペーサが格子状に形成された内側にガラスビーズが配置されたタッチパネル付き表示装置を示す図３（ａ）の切断面Ｃでの平面図である。
【符号の説明】
【００７６】
１  タッチパネル付き表示装置
４  フレーム（支持部）
５  ガラスビーズ（スペーサ）
１５  フォトスペーサ（スペーサ）
２０  タッチパネル
２１  タッチパネル側透明電極
２２  絶縁スペーサ
２３  表示装置側透明電極
３０  液晶表示装置（表示装置）
３１  偏光板
３２  粘着剤層
３３  液晶セルの上部電極基板
３４  液晶
３５  液晶セルの下部電極基板
【図１】
2007034736.tif 000003
【図２】
2007034736.tif 000004
【図３】
2007034736.tif 000005
【図４】
2007034736.tif 000006
【図５】
2007034736.tif 000007